(57)【要約】 【課題】この発明は、車椅子トレーニング器具を簡易で小型軽量化する事で安価に製造可能とする。【解決手段】この発明は、右辺２０、左辺１９、前辺８および後辺９を有する四角形の枠体の右辺２０、左辺１９の外側にそれぞれ一対ずつの回転ローラ４、５、６、７を平行に横設することで、前辺８、後辺９を長さ調節が自在に構成、尚且つ中折構造に構成することで小型化でき、枠体はアルミ材を使用する事で軽量化、構造自体が簡易なため安価に製造可能になるように車椅子トレーニング器具を構成した。【選択図】  図２
2010240273.tif 000002
【特許請求の範囲】
【請求項１】
床面に載置されて車椅子Ａが搭載される、右辺２０、左辺１９、前辺８および後辺９を有する四角形の枠体と、上記右辺２０から外側に向かって水平に突き出て前後方向に一定の間隔を有し、床面から浮いた位置で平行にかつ回転自在に設けられた一対の右側の回転ローラ６、７と、上記左辺１９から外側に向かって水平に突き出て前後方向に一定の間隔を有し、床面から浮いた位置で平行にかつ回転自在に設けられた一対の左側の回転ローラ４、５と、車椅子Ａの主輪１を上記二対の回転ローラ４、５、６、７に案内するための、右辺前方の回転ローラ７の前側及び左辺前方の回転ローラ５の前側にそれぞれ設けられた一対のスロープ１０とを設けた車椅子トレーニング器具であって、上記四個の回転ローラ４、５、６、７のうち少なくとも一個の回転ローラは、その回転軸方向の中間部が最も小径で回転軸方向の両端部が大径の鼓型回転ローラで構成した車椅子トレーニング器具。
【請求項２】
請求項１に記載の車椅子トレーニング器具であって床面に載置されて車椅子Ａが搭載される四角形の枠体の前辺８および後辺９がともに長さ調整自在に設けられたことを特徴とする車椅子トレーニング器具。
【請求項３】
請求項１又は請求項２に記載の車椅子トレーニング器具であって床面に載置されて車椅子Ａが搭載される四角形の枠体の前辺８および後辺９がともに長さ調整自在に設けられ上記前辺８および後辺９のスライド部分のレールを断面がＬ字型にし、Ｌ字型レール
２１の内側に密着して合された所定長さの角材１３の半円形の端部の回転中心ＸからＬ字型レール２１の上端部までの距離mが角材１３の半円形の端部の半径nより長く形成する事で、角材１３の半円形の端部の回転中心Ｘを軸として矢印Yの方向に折り曲げられる構造に構成した車椅子トレーニング器具。
【発明の詳細な説明】
【技術分野】
【０００１】
この発明は室内で車椅子使用者が手軽に健康維持又は体力増進のできる車椅子トレーニング器具に関する。
【背景技術】
【０００２】
車椅子使用者に対する健康維持又、体力増進のための器具が僅かしか提供されていないにもかかわらず、その重量は重く移動や設置に数人の人手が必要であった。設置場所もある程度広いスペースを確保しなくてはならず、不使用時の収納場所もある程度広いスペースが必要であったなかで、車椅子使用者が手軽に移動、設置できて設置場所も収納場所も狭いスペースで済む器具が殆んどないのが実状であつた。例えば特開平１１−２９９８３４号公報及び実用新案登録番号３０２８２９５号の様に車椅子使用者が移動、設置できる物がないのが実状であった。
【先行技術文献】
【特許文献】
【０００３】
【特許文献１】特開平１１−２９９８３４号公報
【特許文献２】実登３０２８２９５号公報
【発明の概要】
【発明が解決しようとする課題】
【０００４】
この発明はかかる実状に鑑みて創案されたもので、車椅子使用者が自身で移動、設置でき健康維持又は体力増強のため、平坦な車椅子のスペースがあれば手軽に運動ができる車椅子トレーニング器具であって、車椅子走行駆動輪２を介して車椅子の主輪１を回転し、右辺２０、左辺１９に横設された二対の回転ローラ４、５、６、７を起動、回転又は停止せしめる車椅子トレーニング器具を提供することをその目的とするものである。
【課題を解決するための手段】
【０００５】
上記目的を達成するため、床面に載置されて車椅子Ａが搭載される右辺２０、左辺１９、前辺８および後辺９を有する四角形の枠体と、上記右辺２０から外側に向かって水平に突き出て前後方向に一定の間隔を有し、床面から浮いた位置で平行にかつ回転自在に設けられた一対の右側の回転ローラ６、７と、上記左辺１９から外側に向かって水平に突き出て前後方向に一定の間隔を有し、床面から浮いた位置で平行にかつ回転自在に設けられた一対の左側の回転ローラ４、５と、車椅子の主輪１を、上記二対の回転ローラ４、５、６、７に案内するための、右辺前方の回転ローラ７の前側及び左辺前方の回転ローラ５の前側にそれぞれ設けられた一対のスロープ１０とを備えた車椅子トレーニング器具であって、上記四個の回転ローラ４、５、６、７のうちの少なくとも一個の回転ローラは、その回転軸方向の中間部が最も小径で回転軸方向の両端部が大径の鼓型回転ローラで構成される車椅子トレーニング器具である。さらには、上記前辺８および後辺９はともに長さ調節自在に設けた車椅子トレーニング器具とする事が出来るものである。加えて、前辺８及び後辺９のスライド部分のレールを断面がＬ字型にし、Ｌ字型レール２１の内側に密着して合された所定長さの角材１３の端部の回転中心ＸからＬ字型レール２１の上端部までの距離mが角材１３の端部の回転半径nより長く形成する事で矢印Yの方向に折り曲げられる構造とする事が出来るものである。
【発明の効果】
【０００６】
以上の如く、この発明は重量の有る二本のローラを平行に横設する従来の装置と異なり、四角形の枠体の右辺２０、左辺１９の外側に二対の回転ローラ４、５、６、７を横設する事で、車椅子トレーニング器具本体Ｂの前辺８、後辺９をともに、長さ調節自在、中折の構造に出来るように成り今までに無く簡易で小型軽量化するためアルミ材を使用する事により簡易で安価に製造可能とする事ができ、上記右辺２０、左辺１９それぞれの前方の回転ローラ５、７の前側にスロープ１０を設置する事で、車椅子Ａの主輪１を右辺
２０、左辺１９に設置された前方の回転ローラ５、７と、後方の回転ローラ４、６の間に安全に誘導、搭載でき、上記二対の回転ローラ４、５、６、７を鼓型にする事で、搭載または、トレーニング中に脱輪、蛇行を防止できるよう構成、車椅子Ａの一対の走行駆動輪２を介して一対の車椅子主輪１を回転し、右辺２０、左辺１９二対の回転ローラ４、５、６、７を起動、回転又は停止せしめる車椅子トレーニング器具本体Ｂを簡易で安価に提供できるように成り車椅子使用者の一般家庭でも簡易に設置可能になり車椅子使用者の体力を増進し健康を保持するために極めて有用なる車椅子トレーニング器具本体Ｂである。枠体の前辺８後辺９は、長さ調節自在であるため、車椅子主輪１間距離（車幅）の異なる各種の車椅子に適応することができる。また、車椅子トレーニング器具本体Ｂの収納に際してコンパクトにできる。鼓型のローラを使用したため、トレーニング中の脱輪、蛇行を防止することができ、競技用車椅子、一般の車椅子を問わず安全にトレーニングできる。
【図面の簡単な説明】
【０００７】
【図１】この発明の実施例に係わる車椅子トレーニング器具本体Ｂに車椅子Ａを載置した状態を示す側面図である。
【図２】この発明の実施例に係わる車椅子トレーニング器具本体Ｂの斜視図である。
【図３】この発明の実施例に係わる車椅子トレーニング器具本体Ｂの前辺８および後辺９のコ字型スライド部分１２の斜視図である。
【図４】この発明の実施例に係わる車椅子トレーニング器具本体Ｂの鼓型回転ローラ４、５、６、７の正面図である。
【図５】この発明の実施例に係わる車椅子トレーニング器具本体Ｂの前辺８および後辺９のＬ字型スライド部分２１の斜視図である。
【図６】この発明の実施例に係わる車椅子トレーニング器具本体Ｂの前辺８および後辺９のＬ字型スライド部分２１の折り曲げられる構造に係わる正面図である。
【発明を実施するための形態】
【０００８】
この発明は重量の有る二本のローラを平行に横設する従来の装置と異なり、四角形の枠体の右辺２０、左辺１９の外側に二対の回転ローラ４、５、６、７を横設する事で、車椅子トレーニング器具本体Ｂの前辺８、後辺９をともに、長さ調節自在、折り曲げられる構造にしたものである。今までに無く小型軽量化するためアルミ材を使用する事ができより簡易で安価に製造可能とする事ができる。上記右辺２０、左辺１９それぞれの前方の回転ローラ５、７の前側にスロープ１０を設置する事で、車椅子Ａの主輪１を右辺２０、左辺１９に設置された前方の回転ローラ５、７と、後方の回転ローラ４、６の間に安全に誘導、搭載でき、上記二対の回転ローラ４、５、６、７を鼓型にする事で、搭載時または、トレーニング中に脱輪、蛇行を防止できるよう構成している。車椅子Ａの一対の走行駆動輪２を介して一対の車椅子主輪１を回転し、右辺２０、左辺１９二対の回転ローラ４、５、６、７を起動、回転又は停止せしめる車椅子トレーニング器具本体Ｂを簡易で安価に提供できるように成り車椅子使用者の一般家庭でも簡易に設置可能になり車椅子使用者の体力を増進し健康を保持するために極めて有用なる車椅子トレーニング器具本体Ｂである。枠体の前辺８後辺９は、長さ調節自在であるため、車椅子主輪１間距離（車幅）の異なる各種の車椅子に適応することができる。また、折りたたみ可能なので車椅子トレーニング器具本体Ｂの収納に際してコンパクトにできる。鼓型のローラを使用したため、トレーニング中の脱輪、蛇行を防止することができ、競技用車椅子、一般の車椅子を問わず安全にトレーニングできる。以下、添付図面に示す実施例に基づきこの発明を繊細に説明する。
【実施例１】
【０００９】
以下、第１の実施例を示す。図１においてＡは車椅子で、一対の主輪１と、一対の走行駆動輪２と、一対の前輪３とを主要構成部としている。この車椅子Ａは床面に載置さ
れた車椅子トレーニング器具本体Ｂに搭載された状態で走行駆動等のトレーニングを行うことが出来る。図２はこのトレーニング器具本体Ｂを示す。このトレーニング器具本体Ｂは水平で平坦な床面に載置されて、車椅子Ａが搭載される。このトレーニング器具本体Ｂは、右辺２０、左辺１９、前辺８および後辺９を有する四角形の軽量なアルミ材の枠体と、上記右辺２０から外側に向かって水平に突き出て前後方向に一定の間隔を有し、床面から浮いた位置で平行にかつ回転自在に設けられた一対の右側の回転ローラ６、７と、上記左辺１９から外側に向かって水平に突き出て前後方向に一定の間隔を有し、床面から浮いた位置で平行にかつ回転自在に設けられた一対の左側の回転ローラ４、５と、車椅子Ａの主輪１を、上記二対の回転ローラ４、５、６、７に案内するための、右辺前方の回転ローラ７の前側及び左辺前方の回転ローラ５の前側にそれぞれ固定された一対のスロープ１０を備えている。スロープ１０は、前方の回転ローラ５、７の突出長さとほぼ同じ幅のくさびで形成されている。上記四個の回転ローラ４、５、６、７は車椅子Ａの主輪１がトレーニング中に蛇行、脱輪しないように、その回転軸方向の中間部が最も小径で回転軸方向の両端部が大径の鼓型回転ローラで構成する。図３は上記前辺８および後辺９はともに長さ調節自在に設けた、すなわちある長さのコ字型のレール１２とこのレール１２内に挿入された所定の長さの角材１３とを有している。角材１３はコ字型レール１２内を動くことができる。角材１３には長孔１４が形成され、長孔１４にはネジ１５が挿入されており、このネジ１５をねじ込むことで前辺８および後辺９の全体の長さを決めることができるように構成されている。図４に回転ローラ４、５、６、７を詳しく示す。回転ローラ４、５、６、７は中間部が小径で両端部が大径の鼓型ローラである。右辺２０、左辺１９には、その前後方向に一定の間隔を有した、一対の貫通孔を形成し、これらの貫通孔に回転軸１６をそれぞれ挿入してなる。回転軸１６は右辺２０、左辺１９から枠体の外側に水平に所定の長さだけ突出し金具１７で固定されており、この突出部分に上記鼓型回転ローラ４、５、６、７が回転自在に支持されている。この外に回転ローラ４、５、６、７やスロープ１０は、収納を容易にするため取り外し可能に出来る。ブレーキ、スピード計、距離計、使用者の安全面やトレーニング効果を向上するための各種の部材や備品を設けるものが多く、これらの各種部材を総合して成るものがこの発明に適用される。なお、ブレーキとしては、回転ローラ４、５、６、７と床の間に滑り止めのゴム等を挿入するようにしてもよい。
【実施例２】
【００１０】
次に第２の実施例を図５、図６で示す。図１、図２、図４を共通に使用する。
この実施例では、上記第１の実施例とは以下の点が異なる。その他は同じである。
図５に示すように上記前辺８及び後辺９はともに長さ自在に設けた、すなわちある長さの断面がＬ字型レール２１とこのレール２１の内側に密着して合された所定長さの角材１３とを有している。角材１３には長孔１４が形成されており、角材１３はＬ字型レール２１に沿って動くことができ、長孔１４にはネジ１５が挿入されており、このネジ１５をねじ込むことで全体の長さを決めることができる。図６に示すように上記前辺８および後辺９のスライド部分のレールを断面がＬ字型にし、Ｌ字型レール２１の内側に密着して合された所定長さの角材１３の半円形の端部の回転中心ＸからＬ字型レール２１の上端部までの距離mが角材１３の半円形の端部の半径nより長く形成する事で矢印Yの方向に折り曲げられる構造に構成されている。
【００１１】
この車椅子トレーニング器具本体Ｂの使用方法について説明する。まず、前辺８、
後辺９の長さを車椅子Ａの主輪１間距離(車幅)に合わせて調節しておく。そして、車椅子トレーニング器具本体Ｂを平坦な床面に載置する。このとき、スロープ１０は両側辺２０、１９の前側の端部に位置している。車椅子Ａの両主輪１が回転ローラ４、５、６、７の上にそれぞれ位置するように、車椅子Ａをスロープ１０を介してトレーニング器具本体Ｂに乗り上げる。この状態で、走行駆動輪２を介して回転ローラ４、５、６、７の上に搭載された車椅子主輪１を回転させる。回転ローラ４、５、６、７にブレーキを設けておいて、ブレーキで回転ローラ４、５、６、７を停止させて、この車椅子トレー二ング器具本体Ｂから降りるものとする。
【符号の説明】
【００１２】
Ａ      車椅子                                
Ｂ      車椅子トレーニング器具本体
１      車椅子主輪                                
２      車椅子走行駆動輪
３      車椅子前輪                                
４      左辺後方の回転ローラ
５      左辺前方の回転ローラ                      
６      右辺後方の回転ローラ
７      右辺前方の回転ローラ                      
８      前辺のスライド部分
９      後辺のスライド部分                        
１０    スロープ
１１    車椅子トレーニング器具本体の基部        
１２    前辺及び後辺のスライド部分のコ字型レール
１３    前辺及び後辺のスライド部分の角材
１４    長孔
１５    スライド部分を固定するネジ
１６    回転ローラの軸
１７    回転ローラの軸を固定する金具
１８    車椅子主輪の断面
１９    車椅子トレーニング器具本体の左辺
２０    車椅子トレーニング器具本体の右辺
２１    前辺及び後辺のスライド部分のＬ字型レール
ｍ      角材端部の回転中心からL字型レール上端部までの距離
ｎ      角材端部の回転中心からの距離
Ｘ      角材端部の回転中心
Ｙ      矢印
【図１】
2010240273.tif 000003
【図２】
2010240273.tif 000004
【図３】
2010240273.tif 000005
【図４】
2010240273.tif 000006
【図５】
2010240273.tif 000007
【図６】
2010240273.tif 000008